(57)【要約】【課題】  ３次元データ図面を有効に活用することが可能な生産ライン用図面管理システムを提供すること。【解決手段】  設計部門用端末装置５作成した図面データに３次元データが含まれている場合に、管理部門用ＩＣタグ読込・書込装置９は、３次元データを参照すべき旨を指示した図面付随情報をＩＣタグ１３に書き込む。ＩＣタグ取付装置１０は２次元データ図面１１にＩＣタグ１３を取り付ける。製造部門用ＩＣタグ読込・書込装置１５は、２次元データ図面１１に取付られているＩＣタグ１３から図面付随情報を読み込む。製造部門用端末装置１４は、この図面付随情報に基づき、管理部門用端末装置経由で管理部門用データベース８から３次元データを取得し、この３次元データで表された図面内容を画面表示する。【選択図】  図１
2006163488.tif 000002
【特許請求の範囲】
【請求項１】
設計部門用端末装置、管理部門用端末装置、製造部門用端末装置がネットワークを介して相互に接続されており、設計部門用端末装置で作成した図面データを管理部門用端末装置及び製造部門用端末装置が参照可能な生産ライン用図面管理システムにおいて、
前記管理部門用端末装置及び前記製造部門用端末装置にはそれぞれ管理部門用ＩＣタグ読込・書込装置及び製造部門用ＩＣタグ読込・書込装置が接続されており、
前記設計部門用端末装置で作成した図面データに３次元データが含まれている場合に、前記管理部門用ＩＣタグ読込・書込装置は、管理部門用端末装置が２次元データで出図した図面に取付可能なＩＣタグに対して、３次元データを参照すべき旨を指示した図面付随情報を書き込み、
前記製造部門用ＩＣタグ読込・書込装置は、前記２次元データで出図された図面に取付られているＩＣタグから前記図面付随情報を読み込み、
前記製造部門用端末装置は、前記製造部門用ＩＣタグ読込・書込装置が読み込んだ図面付随情報に基づき、前記管理部門用端末装置又は前記製造部門用端末装置から３次元データを取得し、この３次元データで表された図面内容を画面表示する、
ことを特徴とする生産ライン用図面管理システム。
【請求項２】
前記製造部門用ＩＣタグ読込・書込装置は、製造部門の工程終了後に、前記２次元データで出図された図面に取付られているＩＣタグから前記図面付随情報に含まれている工程特定情報を読み込み、
前記製造部門用端末装置は、前記製造部門用ＩＣタグ読込・書込装置が読み込んだ前記工程特定情報を前記管理部門用端末装置に送信し、
前記管理部門用端末装置は受信した前記工程特定情報を管理情報として保存する、
ことを特徴とする請求項１記載の生産ライン用図面管理システム。
【請求項３】
前記製造部門用ＩＣタグ読込・書込装置は、製造部門の工程終了後に、工程が終了したことを示す工程終了情報を前記図面に取り付けられたＩＣタグに書き込む、
ことを特徴とする請求項１又は２記載の生産ライン用図面管理システム。
【請求項４】
前記設計部門用端末装置は、３次元データを用いて作成した図面を特定するための図面特定情報を前記管理部門用端末装置に対して送信し、
前記管理部門用ＩＣタグ読込・書込装置は、この図面特定情報に基づき前記ＩＣタグに対して前記図面付随情報を書き込む、
ことを特徴とする請求項１乃至３のいずれかに記載の生産ライン用図面管理システム。
【請求項５】
前記管理部門用端末装置は、前記２次元データで出図した図面に、前記３次元データを参照すべき旨及びその図面を特定するための図面特定情報をバーコード形式で記載し、
前記ＩＣタグは、このバーコード形式で記載された図面特定情報を読取可能なＩＣタグ取付装置により図面に取り付けられたものである、
ことを特徴とする請求項１乃至４のいずれかに記載の生産ライン用図面管理システム。
【請求項６】
前記管理部門用端末装置が出図した図面の内容は、簡略的に表現されたものである、
ことを特徴とする請求項１乃至５のいずれかに記載の生産ライン用図面管理システム。
【請求項７】
前記図面付随情報には、製造部門の工程における注意事項が含まれており、
前記製造部門用端末装置はこの注意事項を画面表示する、
ことを特徴とする請求項１乃至６のいずれかに記載の生産ライン用図面管理システム。
【請求項８】
前記図面付随情報には、製造部門の工程における作業難易度情報が含まれており、
前記製造部門用端末装置はこの作業難易度のレベルに応じて異なる画面表示を行う、
ことを特徴とする請求項１乃至７のいずれかに記載の生産ライン用図面管理システム。
【発明の詳細な説明】
【技術分野】
【０００１】
本発明は、設計部門用端末装置、管理部門用端末装置、製造部門用端末装置がネットワークを介して相互に接続されており、設計部門用端末装置で作成した図面データを管理部門用端末装置及び製造部門用端末装置が参照可能な生産ライン用図面管理システムに関するものである。
【背景技術】
【０００２】
近年のコンピュータの目覚ましい進歩により、製品設計の時間短縮及び品質向上が実現するようになってきている。そして、高機能を持った３次元ＣＡＤシステムが普及し、製品設計を行う際には３次元データを用いた図面が次第に多く用いられるようになってきている（例えば特許文献１参照）。この３次元データを用いれば、製品形状の具体的イメージが明確になったり、ワーク自体から３次元モデルを取得することが可能になるなどのメリットを得ることができるため、高品質の製品を短時間で設計することができる。
【特許文献１】特開２０００−２３５５９４号公報
【発明の開示】
【発明が解決しようとする課題】
【０００３】
ところで、製造部門における製造工程は、管理部門により紙の形態で出図され配布された生産ライン用図面を参照して行われるが、この生産ライン用図面としては依然として２次元データの図面が多用されている。そのため、設計部門では３次元データを用いて作成した図面を基に、更に２次元データの図面を作成しているのが現状である。しかし、製品形状が複雑な場合は、３次元データの図面から２次元データの図面を正確に作成するのは必ずしも容易なことではなく、設計作業に多くの労力及び時間を費やす結果となる。
【０００４】
また、製造部門においても、製品形状のイメージを素早く把握するために、２次元データで表現された生産ライン用図面の他に３次元データの図面を参照する場合がある。この場合、製造部門の作業者は端末装置を操作して画面に３次元データを表示させなければならないが、作業者にとって３次元データを表示させるための操作は難しく、端末装置の操作に必要以上の時間を費やす結果となる。
【０００５】
上記のように、従来技術にあっては、設計部門で作成した３次元データ図面は、生産ラインの現場において充分有効に活用されているとは言い難い状況であった。本発明は、このような事情に鑑みてなされたものであり、３次元データ図面を有効に活用することが可能な生産ライン用図面管理システムを提供することを目的としている。
【課題を解決するための手段】
【０００６】
上記課題を解決するための手段として、請求項１記載の発明は、設計部門用端末装置、管理部門用端末装置、製造部門用端末装置がネットワークを介して相互に接続されており、設計部門用端末装置で作成した図面データを管理部門用端末装置及び製造部門用端末装置が参照可能な生産ライン用図面管理システムにおいて、前記管理部門用端末装置及び前記製造部門用端末装置にはそれぞれ管理部門用ＩＣタグ読込・書込装置及び製造部門用ＩＣタグ読込・書込装置が接続されており、前記設計部門用端末装置で作成した図面データに３次元データが含まれている場合に、前記管理部門用ＩＣタグ読込・書込装置は、管理部門用端末装置が２次元データで出図した図面に取付可能なＩＣタグに対して、３次元データを参照すべき旨を指示した図面付随情報を書き込み、前記製造部門用ＩＣタグ読込・書込装置は、前記２次元データで出図された図面に取付られているＩＣタグから前記図面付随情報を読み込み、前記製造部門用端末装置は、前記製造部門用ＩＣタグ読込・書込装置が読み込んだ図面付随情報に基づき、前記管理部門用端末装置又は前記製造部門用端末装置から３次元データを取得し、この３次元データで表された図面内容を画面表示する、ことを特徴とする。
【０００７】
請求項２記載の発明は、請求項１記載の発明において、前記製造部門用ＩＣタグ読込・書込装置は、製造部門の工程終了後に、前記２次元データで出図された図面に取付られているＩＣタグから前記図面付随情報に含まれている工程特定情報を読み込み、前記製造部門用端末装置は、前記製造部門用ＩＣタグ読込・書込装置が読み込んだ前記工程特定情報を前記管理部門用端末装置に送信し、前記管理部門用端末装置は受信した前記工程特定情報を管理情報として保存する、ことを特徴とする。
【０００８】
請求項３記載の発明は、請求項１又は２記載の発明において、前記製造部門用ＩＣタグ読込・書込装置は、製造部門の工程終了後に、工程が終了したことを示す工程終了情報を前記図面に取り付けられたＩＣタグに書き込む、ことを特徴とする。
【０００９】
請求項４記載の発明は、請求項１乃至３のいずれかに記載の発明において、前記設計部門用端末装置は、３次元データを用いて作成した図面を特定するための図面特定情報を前記管理部門用端末装置に対して送信し、前記管理部門用ＩＣタグ読込・書込装置は、この図面特定情報に基づき前記ＩＣタグに対して前記図面付随情報を書き込む、ことを特徴とする。
【００１０】
請求項５記載の発明は、請求項１乃至４のいずれかに記載の発明において、前記管理部門用端末装置は、前記２次元データで出図した図面に、前記３次元データを参照すべき旨及びその図面を特定するための図面特定情報をバーコード形式で記載し、前記ＩＣタグは、このバーコード形式で記載された図面特定情報を読取可能なＩＣタグ取付装置により図面に取り付けられたものである、ことを特徴とする。
【００１１】
請求項６記載の発明は、請求項１乃至５のいずれかに記載の発明において、前記管理部門用端末装置が出図した図面の内容は、簡略的に表現されたものである、ことを特徴とする。
【００１２】
請求項７記載の発明は、請求項１乃至６のいずれかに記載の発明において、前記図面付随情報には、製造部門の工程における注意事項が含まれており、前記製造部門用端末装置はこの注意事項を画面表示する、ことを特徴とする。
【００１３】
請求項８記載の発明は、請求項１乃至７のいずれかに記載の発明において、前記図面付随情報には、製造部門の工程における作業難易度情報が含まれており、前記製造部門用端末装置はこの作業難易度のレベルに応じて異なる画面表示を行う、ことを特徴とする。
【発明の効果】
【００１４】
本発明では、製造部門の作業者が端末装置の画面に３次元データ図面を自動的に表示させるためには、２次元の生産ライン用図面に取り付けられているＩＣタグをＩＣタグ読込・書込装置に読み込ませるだけでよく、何ら難しい操作を必要としない。したがって、製品形状が複雑な場合、設計部門の設計者は２次元データ図面を簡略な表現とし、３次元データ図面を参照することを指示しておくだけでよい。したがって、本発明に係る生産ライン用図面管理システムによれば３次元データ図面を有効に活用することが可能になる。
【発明を実施するための最良の形態】
【００１５】
図１は、本発明の実施形態に係る生産ライン用図面管理システムの構成図である。この図において、ネットワーク１を介して、設計部門２の設計者Ｍ1、管理部門３の管理者Ｍ2、及び製造部門４の作業者Ｍ3は相互間でデータの授受を行うことができるようになっている。
【００１６】
すなわち、設計部門２にはネットワーク１に接続された設計部門用端末装置５と、この設計部門用端末装置５に接続された設計部門用データベース６とが設けられている。
【００１７】
管理部門３には、ネットワーク１に接続された管理部門用端末装置７と、この管理部門用端末装置７に接続された管理部門用データベース８とが設けられている。そして、管理部門用端末装置７には管理部門用ＩＣタグ読込・書込装置９及びＩＣタグ取付装置１０が接続されている。
【００１８】
管理部門用端末装置７は、２次元データ図面１１を出図するものであり、この２次元データ図面１１には図面特定情報としてのバーコード情報１２が付加されている。
【００１９】
管理部門用ＩＣタグ読込・書込装置９は、ＩＣタグに対する読込及び書込が可能なものであり、ここではＩＣタグ１３に対して図面付随情報を書き込むようになっている。
【００２０】
なお、本発明で用いるＩＣタグとは、ＲＦＩＤ（Radio Frequency IDentification）とも呼ばれ、半導体素子によって製作された数ミリサイズの小型チップである。そして、ＩＣタグ読込・書込装置との間で無線通信を行うことにより、情報の読込・書込を行う。
【００２１】
ＩＣタグ取付装置１０は、管理部門用端末装置７で出図された２次元データ図面１１に、管理部門用ＩＣタグ読込・書込装置９により書込が行われたＩＣタグ１３を取り付けるものである。
【００２２】
製造部門４には、ネットワーク１に接続された製造部門用端末装置１４と、この端末装置１４に接続された製造部門用ＩＣタグ読込・書込装置１５とが設けられている。
【００２３】
製造部門用ＩＣタグ読込・書込装置１５は、ＩＣタグ１３に対する読込及び書込が可能なものであり、ここでは管理部門３から製造部門４に配布された２次元データ図面１１に取り付けられているＩＣタグ１３に対する読込を行うようになっている。
【００２４】
次に、上記のように構成される図１のシステムの処理動作について、図２乃至図４のフローチャートを参照しつつ各部門毎に説明する。
【００２５】
図２は、設計部門２における処理動作を説明するためのフローチャートである。まず、設計者Ｍ1は設計部門用端末装置５により３次元データ図面を作成し（ステップ２１）、更にこの３次元データ図面に基づき２次元データ図面を作成する（ステップ２２）。
【００２６】
この場合、設計者Ｍ1は、２次元データ図面を正確に作成するのが困難な複雑な形状のものについては、製造部門４で３次元データ図面を参照してもらうこととし、簡略な２次元データ図面を作成することにする。また、高い精度を必要とする場合にも２次元データ図面を簡略化すると共に寸法公差値などを図面に記載し、製造部門４では３次元データ図面を参照してもらうようにする。設計者Ｍ1は、このように２次元データ図面を簡略化していること、及び製造工程では３次元データ図面を参照すべきことを２次元データ図面に記載し、更に２次元データ図面と３次元データ図面との対応関係を図面番号等を用いて示した２次元・３次元対応情報（すなわち図面付随情報）を作成する（ステップ２３〜２５）。
【００２７】
次いで、設計者Ｍ1は、作成した２次元データ図面に基づき出図用イメージデータを作成し（ステップ２６）、この出図用イメージデータに図面番号やレビジョン番号などの図面特定情報をバーコード情報１２として記載する（ステップ２７）。そして、これまでに作成した、３次元データ図面、２次元データ図面、出図用イメージデータ、及び２次元・３次元対応情報などを設計部門用データベース６に保存する（ステップ２８）。
【００２８】
この後、設計者Ｍ1は、全図面の作成が終了したか否かをチェックし（ステップ２９）、終了していなければステップ２１に戻って次の図面の作成にとりかかり、終了していればそこで設計作業を完了する。
【００２９】
図３は、管理部門３における処理動作を説明するためのフローチャートである。管理者Ｍ2は、予め設計者Ｍ1が作成し設計部門用データベース６に保存してある各データを管理部門用端末装置７経由で管理部門用データベース８に取り込んである。
【００３０】
管理者Ｍ2は、まず、管理部門用データベース８から所定の図面番号の出図用イメージデータを取り出し、これを管理部門用端末装置７の画面に表示させる（ステップ３１）。そして、管理者Ｍ2は、イメージデータ内に３次元データ図面を参照すべき指示が記載されているか否かを判別し（ステップ３２）、記載されていれば管理部門用端末装置７から管理部門用ＩＣタグ読込・書込装置９に書込指令を出力させ、管理部門用データベース８に予め保存されている２次元・３次元対応情報を図面付随情報としてＩＣタグ１３に書き込むようにする（ステップ３３）。
【００３１】
次いで、管理者Ｍ2は、図面特定情報としてのバーコード情報１２が付加された２次元データ図面１１を管理部門用端末装置７から出図させる（ステップ３４）。そして、管理者Ｍ2は、２次元データ図面１１に取り付けるべきＩＣタグ１３が有れば、ＩＣタグ取付装置１０により、２次元・３次元情報が書き込まれているＩＣタグ１３を２次元データ図面１１に取り付ける（ステップ３５）。すなわち、ＩＣタグ取付装置１０に図面特定情報であるバーコード情報１２を読み込ませ、このバーコード情報１２に含まれている図面番号と一致する図面番号を持つＩＣタグ１３を２次元データ図面１１上に取り付けるようにする。
【００３２】
この後、管理者Ｍ2は、全図面に対して、出図及びＩＣタグ１３の取付が終了したか否かをチェックし（ステップ３６）、終了していなければステップ３１に戻って次の図面を画面表示させ、終了していればそこで出図作業を完了する。
【００３３】
図４は、製造部門４における処理動作を説明するためのフローチャートである。まず、作業者Ｍ3は、管理部門３から配布された２次元データ図面１１を入手する（ステップ４１）。そして、２次元データ図面１１にＩＣタグ１３が取り付けられているか否かをチェックし（ステップ４２）、取り付けられていればこのＩＣタグ１３を製造部門用ＩＣタグ読込・書込装置１５により読み込ませる（ステップ４３）。
【００３４】
すると、この製造部門用ＩＣタグ読込・書込装置１５が読み込んだ図面付随情報としての２次元・３次元対応情報を製造部門用端末装置１４に出力する。これにより、製造部門用端末装置１４は、作業者Ｍ3が入手した２次元データ図面１１に対応する３次元データを、管理部門用端末装置７経由で管理部門用データベース８から取り出し（伝送異常等の場合は、設計部門用端末装置５経由で設計部門用データベース６から取り出すことも可）、これを３次元データ図面として自動的に画面表示する（ステップ４４）。作業者Ｍ3は、この３次元データ図面が表示された画面を見ながら（勿論必要であればこの画面をプリントアウトすることも可）製造作業を実施する（ステップ４５）。
【００３５】
このとき、製造部門用ＩＣタグ読込・書込装置１５が読み込んだ図面付随情報には２次元・３次元対応情報の他に、工程番号などの工程特定情報が含まれており、製造部門用端末装置１４はこの工程特定情報を管理部門用端末装置７に送信する。管理部門用端末装置７は、受信したこの工程特定情報を管理情報として管理部門用データベース８に保存する。管理者Ｍ2は、このような工程特定情報の受信、及びその受信日時から工程の進捗状況を把握することができる。
【００３６】
ステップ４５の後、作業者Ｍ3は全図面の作業が終了したか否かをチェックし（ステップ４６）、終了していなければステップ４１に戻って次の図面を入手する。
【００３７】
一方、全図面の作業が終了したならば、作業者Ｍ3は、ＩＣタグ１３が取り付けられている全ての２次元データ図面１１を集め、製造部門用ＩＣタグ読込・書込装置１５を用いてＩＣタグ１３に工程が終了したことを示す工程終了情報を書き込むようにする（ステップ４７）。このとき、製造部門用ＩＣタグ読込・書込装置１５によって書き込まれた工程終了情報は管理部門３に通知される（ステップ４８）。
【００３８】
すなわち、この工程終了情報は、製造部門用端末装置１４によりネットワーク１を介して管理部門用端末装置７に伝送され、管理部門用データベース８に保存される。したがって、管理者Ｍ2は各工程が終了したことを示す管理情報を自動的に取得することができる。また、製造部門４での工程が終了した後、製造部門４に配布された全ての２次元データ図面１１は管理部門３に回収されるが、管理部門３がその後に誤って別の製造部門にこの図面を配布したとしても、ＩＣタグ１３に工程終了情報が書き込まれているので、その製造部門でこの２次元データ図面１１に係る作業が実施されてしまうのを防止することができる。
【００３９】
上述した図１の構成を有するシステムによれば、作業者Ｍ3は、２次元データ図面１１に取り付けられているＩＣタグ１３を製造部門用ＩＣタグ読込・書込装置１５に読み込ませることにより、製造部門用端末装置１４による３次元データ図面の画面表示を簡単に行わせることができる。つまり、作業者Ｍ3は、コンピュータの操作手順を知らなくても、製造部門用ＩＣタグ読込・書込装置１５の所定個所にＩＣタグ１３を近づけるだけの簡単な作業により、製造部門用端末装置１４に３次元データを表示させることができる。
【００４０】
したがって、設計者Ｍ1は製品形状が複雑な場合には、３次元データ図面に基づき正確な２次元データ図面を作成する必要はなく、簡略な２次元データ図面と画面表示された３次元データ図面とを併用すればよいことになる。それ故、図１の構成によれば、作業者Ｍ3だけでなく設計者Ｍ1の労力も大きく軽減されることになる。
【００４１】
一方、管理者Ｍ2については、バーコード情報１２を付加したり、ＩＣタグ１３を取り付けなければならないため、一見すると、従来に比べて余分な作業等が増えているように見える。しかし、ＩＣタグ１３の図面付随情報に種々の情報を含めて製造部門４に２次元データ図面１１を配布することができ、また、製造部門４の工程終了後には作業者Ｍ3が書き込んだ工程終了情報などを管理情報としてフィードバックさせることができるので、増加した作業分を補って余りあるメリットを得ることができる。
【００４２】
なお、本発明は上記の実施形態の他に次のような形態をも広く包含するものである。
【００４３】
（１）管理部門用ＩＣタグ読込・書込装置９によってＩＣタグ１３に書き込まれる図面付随情報には、３次元データ図面を参照すべき旨の指示の他に、製造部門４の工程における種々の注意事項を含ませることができる。そして、製造部門用端末装置１４が、製造部門用ＩＣタグ読込・書込装置１５の読取動作に基づき、この注意事項を画面表示することが可能である。
【００４４】
（２）また、上記の図面付随情報には、製造部門４の工程における作業難易度情報を含ませることができる。例えば、製品の曲面同士の組合せが複雑で寸法公差が厳密な場合は「Ａ」を表示し、製品加工が複雑な場合は「Ｂ」を表示するなどして、作業の難易度についてレベル分けを行ない、そのレベル情報を２次元データ図面１１に付加することが可能である。更に、このレベル分けした作業難易度情報を製造部門用端末装置１４に画面表示させる場合、レベルに応じて色分けするなど異なる画面表示を行わせることにより、作業者Ｍ3に注意を喚起させることも可能である。
【００４５】
（３）ＩＣタグ１３は必ずしも全ての２次元データ図面に取り付ける必要はない。例えば、製品形状が単純なものである場合には、作業者Ｍ3は２次元データ図面で形状を把握することができ、３次元データ図面を参照する必要がないからである。但し、親子の関係にある複数図面については、製品形状が単純であっても親図面については必ずＩＣタグ１３を取り付けるようにすれば、管理部門３と製造部門４との間で種々の管理情報をやり取りすることができるようになる。
【図面の簡単な説明】
【００４６】
【図１】本発明の実施形態に係る生産ライン用図面管理システムの構成図。
【図２】図１の設計部門２における処理動作を説明するためのフローチャート。
【図３】図１の管理部門３における処理動作を説明するためのフローチャート。
【図４】図１の製造部門４における処理動作を説明するためのフローチャート。
【符号の説明】
【００４７】
１  ネットワーク
２  設計部門
３  管理部門
４  製造部門
５  設計部門用端末装置
６  設計部門用データベース
７  管理部門用端末装置
８  管理部門用データベース
９  管理部門用ＩＣタグ読込・書込装置
１０  ＩＣタグ取付装置
１１  ２次元データ図面
１２  バーコード情報
１３  ＩＣタグ
１４  製造部門用端末装置
１５  製造部門用ＩＣタグ読込・書込装置
Ｍ1  設計者
Ｍ2  管理者
Ｍ3  作業者
【図１】
2006163488.tif 000003
【図２】
2006163488.tif 000004
【図３】
2006163488.tif 000005
【図４】
2006163488.tif 000006